(57)【要約】【課題】移動者に所定の経路を通行するよう動機付けを与えることができる情報管理方法および情報管理装置を提供すること。【解決手段】児童がゲート１０ａ〜１０ｅを通過した際に、ゲート１０ａ〜１０ｅが情報管理装置２０に児童のゲート１０ａ〜１０ｅの通過時刻に係る情報を送信し、ゲート１０ａ〜１０ｅにより送信された通過時刻の情報に基づいて、情報管理装置２０が、児童が所定の地点を所定の時間内に通過したか否かを判定し、その判定の結果に応じてポイントの情報を児童に対応付けて記憶する。【選択図】        図１
2005275529.tif 000002
【特許請求の範囲】
【請求項１】
移動者に対するインセンティブの付与に係る情報を管理する情報管理方法であって、
前記移動者が所定の地点を通過した時刻に係る情報に基づいて、該移動者が所定の地点を所定の時間内に通過したか否かを判定する判定工程と、
前記判定工程によりなされた判定の結果に応じてインセンティブの付与に係る情報を前記移動者に対応付けて記憶する記憶工程と、
を含んだことを特徴とする情報管理方法。
【請求項２】
前記記憶工程は、前記判定工程により前記移動者が所定の地点を所定の時間内に通過しなかったと判定された場合に、該移動者に対するインセンティブの付与に不利となるよう前記インセンティブの付与に係る情報を記憶することを特徴とする請求項１に記載の情報管理方法。
【請求項３】
前記判定工程により前記移動者が所定の地点を所定の時間内に通過しなかったと判定された場合に、該判定の結果に係る情報を送信する送信工程をさらに含んだことを特徴とする請求項１または２に記載の情報管理方法。
【発明の詳細な説明】
【技術分野】
【０００１】
この発明は、移動者に対するインセンティブの付与に係る情報を管理する情報管理方法および情報管理装置に関し、特に、移動者に所定の経路を通行するよう動機付けを与えることができる情報管理方法および情報管理装置に関する。
【背景技術】
【０００２】
従来、学校や塾などに通う児童が、通学途中で交通事故などに遭遇するようなケースが数多く発生しており、児童の安全をいかに確保するかが重要な問題となっている。たとえば、児童が学校へ時間通りに到着しなかったような場合には、児童が学校へ向かっているのか、あるいは、交通事故などに遭遇しているのかといった情報を迅速に取得し、さまざまな状況に適切に対処することが必要である。
【０００３】
そのため、特許文献１には、現在位置の検出が可能な携帯型の通信端末を児童に持たせ、保護者が児童の現在位置を確認したい場合には、通信端末との間で通信をおこなって、保護者に現在位置の情報を知らせることができる児童アシストシステムが開示されている。
【０００４】
また、特許文献２には、自動車の生産管理システムなどにおいて、部品生産に遅延が発生した場合に、遅延の発生と発生箇所とを管理者に通知する生産進捗情報管理システムが開示されている。
【０００５】
ここで、部品を児童に置き換えて考えてみると、この生産進捗情報管理システムは、所定の通学路において児童の進行の遅れを検知して、進行が遅れている場合に保護者等に遅延情報と遅延位置の情報とを通知することができるシステムと同等のシステムとして捉えることができる。
【０００６】
【特許文献１】特開２００３−１６８１９４号公報
【特許文献２】特開２００３−３３０５１９号公報
【発明の開示】
【発明が解決しようとする課題】
【０００７】
しかしながら、上記特許文献１または２の従来技術では、児童の現在位置を確認することができるものの、危険性の少ない通学路を児童が自発的に通るように、児童の行動を誘導するものではないという問題があった。
【０００８】
すなわち、危険性の少ない通学路を通るように児童に対して動機付けをおこなわないため、通学路通りに通学しようという児童の意欲を高めることができないという問題があった。
【０００９】
この発明は、上述した従来技術による問題点を解消するためになされたものであり、移動者に所定の経路を通行するよう動機付けを与えることができる情報管理方法および情報管理装置を提供することを目的とする。
【課題を解決するための手段】
【００１０】
上述した課題を解決し、目的を達成するため、本発明は、移動者に対するインセンティブの付与に係る情報を管理する情報管理方法であって、前記移動者が所定の地点を通過した時刻に係る情報に基づいて、該移動者が所定の地点を所定の時間内に通過したか否かを判定する判定工程と、前記判定工程によりなされた判定の結果に応じてインセンティブの付与に係る情報を前記移動者に対応付けて記憶する記憶工程と、を含んだことを特徴とする。
【００１１】
また、本発明は、前記記憶工程は、前記判定工程により前記移動者が所定の地点を所定の時間内に通過しなかったと判定された場合に、該移動者に対するインセンティブの付与に不利となるよう前記インセンティブの付与に係る情報を記憶することを特徴とする。
【００１２】
また、本発明は、前記判定工程により前記移動者が所定の地点を所定の時間内に通過しなかったと判定された場合に、該判定の結果に係る情報を送信する送信工程をさらに含んだことを特徴とする。
【００１３】
また、本発明は、前記判定工程は、前記移動者が通過した地点に係る情報を、移動者を誘導する経路に設置された第１の装置が移動者が有する第２の装置から該移動者に係る識別情報を読み取ることにより取得することを特徴とする。
【００１４】
また、本発明は、前記記憶工程は、前記第２の装置に前記インセンティブの付与に係る情報を記憶することを特徴とする。
【００１５】
また、本発明は、前記記憶工程は、前記移動者が所定の地点を通過した時刻に係る情報を前記移動者に対応付けてさらに記憶し、前記記憶工程により記憶された時刻に係る情報を出力する出力工程をさらに含んだことを特徴とする。
【００１６】
また、本発明は、移動者に対するインセンティブの付与に係る情報を管理する情報管理装置であって、前記移動者が所定の地点を通過した時刻に係る情報に基づいて、該移動者が所定の地点を所定の時間内に通過したか否かを判定する判定手段と、前記判定手段によりなされた判定の結果に応じてインセンティブの付与に係る情報を前記移動者に対応付けて記憶する記憶手段と、を備えたことを特徴とする。
【発明の効果】
【００１７】
本発明によれば、移動者が所定の地点を通過した時刻に係る情報に基づいて、移動者が所定の地点を所定の時間内に通過したか否かを判定し、その判定の結果に応じてインセンティブの付与に係る情報を移動者に対応付けて記憶することとしたので、移動者に所定の経路を通行するよう動機付けを与えることができるという効果を奏する。
【００１８】
また、本発明によれば、移動者が所定の地点を所定の時間内に通過しなかったと判定された場合に、移動者に対するインセンティブの付与に不利となるようインセンティブの付与に係る情報を記憶することとしたので、所定の経路から外れないよう移動者に動機付けを与えることができるという効果を奏する。
【００１９】
また、本発明によれば、移動者が所定の地点を所定の時間内に通過しなかったと判定された場合に、判定の結果に係る情報を送信することとしたので、関係者に効率的に異常を通知することができるという効果を奏する。
【００２０】
また、本発明によれば、移動者が通過した地点に係る情報を、移動者を誘導する経路に設置された第１の装置が、移動者が有する第２の装置から移動者に係る識別情報を読み取ることにより取得することとしたので、効率的に各移動者の位置に係る情報を取得することができるという効果を奏する。
【００２１】
また、本発明によれば、第２の装置にインセンティブの付与に係る情報を記憶することとしたので、第２の装置からインセンティブの付与に係る情報を読み取って、利用することができるとともに、インセンティブの付与に係る情報をバックアップしておくことができるという効果を奏する。
【００２２】
また、本発明によれば、移動者が所定の地点を通過した時刻に係る情報を移動者に対応付けてさらに記憶し、記憶された時刻に係る情報を出力することとしたので、各地点を移動者が通過した時刻に係る情報を関係者が容易に取得することができるという効果を奏する。
【発明を実施するための最良の形態】
【００２３】
以下に添付図面を参照して、本発明に係る情報管理方法および情報管理装置の好適な実施例を詳細に説明する。本実施例では、児童が学校に通学する際に、あらかじめ定められた通学路を通るように誘導する場合について説明する。
【実施例】
【００２４】
まず、本実施例に係る情報管理処理の概念について説明する。図１は、本実施例に係る情報管理処理の概念を説明する説明図である。図１に示すように、この情報管理処理では、児童の通学路の各所に、児童が身につけているＩＣタグから児童を識別する情報を読み取るゲート１０ａ〜１０ｅが設置されている。
【００２５】
ここで、ＩＣタグは、児童が通学時に携帯するもの、あるいは、児童の衣類等に埋め込まれている。また、ここでは、児童に係る情報を記憶し、ゲート１０ａとの間で情報の授受をおこなうものとして、ＩＣタグを例に挙げるが、同様の機能を有していれば、携帯電話などのＩＣタグ以外の情報端末であってもよい。
【００２６】
そして、ゲート１０ａ〜１０ｅにより読み込まれた情報およびその情報を読み取った時刻の情報が、各ゲート１０ａ〜１０ｅとネットワークを介して接続されている情報管理装置２０に送信される。この情報管理装置２０は、児童が通学する学校内に設置されていてもよいし、学校以外の管理センタ内に設置されていてもよい。
【００２７】
情報管理装置２０には、各児童が各ゲート１０ａ〜１０ｅ間を通過するのに要する標準的な所要時間が記憶されており、各ゲート１０ａ〜１０ｅにより送信された情報に基づいて、各児童がその時間内に各ゲート１０ｂ〜１０ｅを通過したか否かを判定する処理をおこなう。
【００２８】
児童が一定の時間内にゲート１０ｂ〜１０ｅを通過しなかった場合には、情報管理装置２０の異常通知部２５ｂは、児童に異常な事態が発生したと判定し、電話やＦＡＸ、電子メールなどの通信手段を用いて、保護者や学校関係者に自動的に通知する。
【００２９】
また、情報管理装置２０のポイント管理部２５ｃは、児童が標準的な所要時間内に各ゲート１０ａ〜１０ｅを通過した場合に、児童にポイントを付与する。このポイントが所定の値以上になると、児童には表彰状や学用品、図書券、文具券などが与えれられるようにして、児童が通学路に沿って安全に通学する動機付けとなるようにしておく。
【００３０】
ここで、特許請求の範囲にある「インセンティブ」とは、表彰状や学用品、図書券、文具券などの児童に付与される賞や特典、優遇措置等を指している。
【００３１】
さらに、ポイント管理部２５ｃは、あらかじめ定められた重要ゲートを児童が通らなかった場合に、ポイントを減らす処理をおこなう。重要ゲートとしては、交通量の多い道路に設置された歩道橋のゲート１０ｄなどが指定される。
【００３２】
この重要ゲート１０ｄを通過しなかったということは、危険性の高い道路を他の地点で横切ったことになる。そのため、ポイントを減らすことにより、児童が重要ゲート１０ｄのある地点を通過しないで行くことを抑止する。
【００３３】
このように、この情報管理処理では、各児童が通学路に設置された各ゲート１０ａ〜１０ｅを標準的な所要時間内に通過した場合に、インセンティブを獲得するためのポイントを付与し、重要ゲート１０ｄを通過しなかった場合に、そのポイントを減らすこととしたので、児童に所定の経路を通行するよう動機付けを与えることができる。
【００３４】
つぎに、本実施例に係る情報管理システムの機能的構成について説明する。図２は、本実施例に係る情報管理システムの機能的構成を示す機能ブロック図である。
【００３５】
図２に示すように、この情報管理システムは、ゲート１０ａ〜１０ｅと情報管理装置２０とが専用ネットワーク６０を介して接続され、端末装置４０ａ〜４０ｃと情報管理装置２０とが公衆回線ネットワーク７０を利用したインターネットを介して接続され、電話機／ファクシミリ装置５０ａ〜５０ｃと情報管理装置２０とが公衆回線ネットワーク７０を介して接続されている。
【００３６】
ゲート１０ａは、児童の通学路の各所に設置され、情報管理装置２０との間でデータの授受をおこなう。具体的には、ゲート１０ａは、児童を識別する識別情報を情報管理装置２０に送信するとともに、その情報を読み取った時刻の情報を児童がゲート１０ａを通過した通過時刻の情報として情報管理装置２０に送信する。また、情報管理装置２０から児童のポイントの情報を受信する処理をおこなう。
【００３７】
このゲート１０ａは、ＩＣタグ３０からデータを読み込み、また、ＩＣタグ３０にデータを書き込むＩＣタグリーダ／ライタ１１ａを有している。図示しないが、ゲート１０ｂ〜１０ｅも同様のＩＣタグリーダ／ライタを有している。
【００３８】
このＩＣタグリーダ／ライタ１１ａは、ＩＣタグ３０から児童を識別する識別情報を読み込み、また、ゲート１０ａの通過時刻の情報や、情報管理装置２０から受信した児童のポイントの情報を、ＩＣタグ３０に個人データ３０ａとして書き込む処理をおこなう。
【００３９】
図３は、ＩＣタグ３０に記憶される個人データ３０ａの一例を示す図である。図３に示すように、この個人データ３０ａは、学年、クラス、出席番号、氏名、自宅電話番号、通知メールアドレス、ＦＡＸ番号、血液型、累積ポイント、アレルギー、持病、ＩＤ、ゲート通過時刻の情報を記憶している。
【００４０】
このうち、累積ポイントは、児童がこれまで獲得したポイントを記憶したものである。また、ＩＤは、児童を識別する識別情報である。ゲート通過時刻は、児童が各ゲート１０ａ〜１０ｅを通過した際に、ＩＣタグリーダ／ライタ１１ａにより書き込まれるゲート１０ａ〜１０ｅの通過時刻の情報である。
【００４１】
ここで、累積ポイントの情報およびゲート通過時刻の情報は、情報管理装置２０にも記憶されるが、ＩＣタグ３０にもバックアップしておくようにする。ＩＣタグ３０に、累積ポイントの情報およびゲート通過時刻の情報を記憶させない場合には、ＩＣタグリーダ／ライタ１１ａのデータの書き込み機能が不要となるため、情報管理システムのコストを抑えることができる。
【００４２】
また、ここでは、ＩＣタグ３０に自宅の電話番号や血液型などのさまざまなデータを記憶することとしているが、児童を識別することができる識別情報のみを記憶することとしてもよい。ここで、識別情報としては、学年、クラス、出席番号のデータの組や、ＩＤなどが挙げられる。
【００４３】
図２の説明に戻ると、端末装置４０ａ〜４０ｃは、情報管理装置２０にアクセスして、児童の通学状況に係る情報を取得し、その情報を表示する携帯電話やパーソナルコンピュータなどの端末装置である。
【００４４】
具体的には、児童が各ゲート１０ａ〜１０ｅを通過した時刻を情報管理装置２０から取得し、ディスプレイなどに表示する。また、情報管理装置２０により児童に異常事態が発生したと判定された場合に、情報管理装置２０により送信された電子メールの通知を受信する。
【００４５】
電話機／ＦＡＸ５０ａ〜５０ｃは、情報管理装置２０により児童に異常事態が発生したと判定された場合に、異常事態の発生の通知を受け付ける電話機またはファクシミリ装置である。
【００４６】
情報管理装置２０は、あらかじめ定められた通学路に沿って各児童が所定の時間内に各ゲート１０ａ〜１０ｅを通過したか否かを判定し、各ゲート１０ａ〜１０ｅを通過した場合に、児童にポイントを付与する処理をおこなう装置である。
【００４７】
この情報管理装置２０は、インターフェース部２１、入力部２２、表示部２３、記憶部２４および制御部２５を有する。
【００４８】
インターフェース部２１は、ゲート１０ａ〜１０ｅ、端末装置４０ａ〜４０ｃまたは電話機／ＦＡＸ５０ａ〜５０ｃとの間で情報の授受をおこなうネットワークインターフェースである。入力部２２は、キーボードやマウスなどの入力デバイスであり、表示部２３は、ディスプレイなどの表示デバイスである。
【００４９】
記憶部２４は、ハードディスク装置などの記憶デバイスであり、児童データ２４ａ、標準所要時間データ２４ｂおよび通過時刻データ２４ｃを記憶している。
【００５０】
児童データ２４ａは、移動状況を監視する各児童の個人情報を記憶したデータである。図４は、情報管理装置２０が記憶する児童データ２４ａの一例を示す図である。図４に示すように、この児童データ２４ａは、ＩＤ、学年、クラス、出席番号、氏名、自宅電話番号、通知メールアドレス、ＦＡＸ番号、通知方法優先度、累積ポイントの情報が記憶されている。
【００５１】
このうち、ＩＤは、各児童を識別する識別情報である。また、通知方法優先度は、児童に異常事態が発生したと判定された場合に、通知をおこなう手段の優先順序を定めたものである。
【００５２】
図２の説明に戻ると、標準所要時間データ２４ｂは、あるゲート１０ａ〜１０ｅから次のゲート１０ａ〜１０ｅへと児童が移動する際の標準的な所要時間を記憶したデータである。この標準所要時間データ２４ｂは、保護者や学校関係者などにより設定され、随時更新される。
【００５３】
図５は、情報管理装置２０が記憶する標準所要時間データ２４ｂの一例を示す図である。図５に示すように、この標準所要時間データ２４ｂは、ＩＤ、季節、天候、ゲート間標準所要時間（許容誤差）の各情報を記憶している。ＩＤは、各児童を識別する識別情報である。季節および天候は、設定する所要時間の前提となる季節および天候の条件である。
【００５４】
ゲート間標準所要時間（許容誤差）は、ある季節および天候の条件下で、あるゲート１０ａ〜１０ｅから次のゲート１０ａ〜１０ｅへと各児童が移動する際の標準的な所要時間、および、許容される誤差を設定した情報である。
【００５５】
たとえば、図５の例では、ＩＤが「ＡＣＤ１２１２」である児童が、「冬」の「好天候」時に自宅ゲート１０ａから公園前ゲート１０ｂまで移動する際の標準所要時間は、「５分」に設定され、また、許容される標準所要時間の誤差は「±２分」に設定されている。
【００５６】
図２の説明に戻ると、通過時刻データ２４ｃは、各児童が各ゲート１０ａ〜１０ｅを通過すべき時間および各児童が各ゲート１０ａ〜１０ｅを通過した時刻を記憶したデータである。
【００５７】
図６は、情報管理装置２０が記憶する通過時刻データ２４ｃの一例を示す図である。図６に示すように、この通過時刻データ２４ｃには、各ゲート１０ａ〜１０ｅにおける許容短縮通過時刻、許容遅延通過時刻、限界遅延時刻および通過時刻の情報が記憶されている。
【００５８】
ここで、たとえば、時刻表記「２００４０４１４０７５０」は、２００４年の４月１４日の７時５０分を意味する。また、この通過時刻データ２４ｃは、各児童ごとに作成され、各児童の情報が通過時刻データ２４ｃとして記憶されている。
【００５９】
許容短縮通過時刻は、児童が各ゲート１０ａ〜１０ｅを通過する際に、児童に許容する最も早い通過時刻の情報である。許容遅延通過時刻は、児童が各ゲート１０ａ〜１０ｅを通過する際に、児童に許容する最も遅い通過時刻の情報である。
【００６０】
限界遅延時刻は、児童が異常事態に遭遇したか否かを判定する際に参照される通過時刻の情報であり、この限界遅延時刻以前に児童がゲート１０ａ〜１０ｅを通過しなかった場合は、保護者や学校関係者に対して異常を通知する処理が実行される。
【００６１】
この限界遅延時刻は、たとえば、許容遅延通過時刻と許容短縮通過時刻との時間差を許容遅延通過時刻に加えた時刻とする。ただし、これに限らず、限界遅延時刻は任意の時刻に設定してよい。通過時刻は、各ゲート１０ａ〜１０ｅにより送信された児童の通過時刻の情報を記憶したものである。
【００６２】
図２の説明に戻ると、制御部２５は、この情報管理装置２０を全体制御する制御部であり、情報取得部２５ａ、異常通知部２５ｂ、ポイント管理部２５ｃおよび情報出力部２５ｄを有する。
【００６３】
情報取得部２５ａは、各ゲート１０ａ〜１０ｅがＩＣタグ３０から読み取った児童のＩＤの情報および児童が各ゲート１０ａ〜１０ｅを通過した通過時刻の情報を各ゲート１０ａ〜１０ｅから取得し、取得したＩＤを有する児童に対応付けて通過時刻の情報を通過時刻データ２４ｃとして記憶する処理をおこなう。
【００６４】
なお、本実施例では、児童が各ゲート１０ａ〜１０ｅを通過した通過時刻の情報を、各ゲート１０ａ〜１０ｅから取得することとしているが、各ゲート１０ａ〜１０ｅは児童のＩＤの情報のみを送信することとし、情報取得部２５ａがその情報を受信した時刻を児童の通過時刻として設定し、通過時刻データ２４ｃに記憶することとしてもよい。
【００６５】
異常通知部２５ｂは、通過時刻データ２４ｃに設定された限界遅延時刻以前に児童がゲート１０ａ〜１０ｅを通過しなかった場合に、端末装置４０ａ〜４０ｃ、電話機／ＦＡＸ５０ａ〜５０ｃに電子メールや合成音声あるいはＦＡＸで異常を通知する処理をおこなう。
【００６６】
たとえば、端末装置４０ａ〜４０ｃに電子メールで通知をおこなう場合、あるいは、電話機／ＦＡＸ５０ａ〜５０ｃにＦＡＸで通知をおこなう場合には、異常通知部２５ｂは、以下のような内容の通知を送信する。「異常通知システムです。１年３組１２番の上村剣年君は、２００４年４月１４日、標準時間より１４分経過しても校門を通過しておりません。」
【００６７】
あるいは、異常通知部２５ｂは、電話機／ＦＡＸ５０ａ〜５０ｃとの間で通話状態を確立し、上記内容を合成音声により通知する。さらに、端末装置４０ａ〜４０ｃに対しては、異常通知部２５ｂは、児童の各ゲート１０ａ〜１０ｅの通過時刻の情報とともに上記内容を表示する画面を出力することとしてもよい。
【００６８】
ポイント管理部２５ｃは、最終ゲート１０ｅを児童が通過した後、通過時刻データ２４ｃに記憶された許容短縮通過時刻と許容遅延通過時刻との間に児童がゲート１０ａ〜１０ｅを通過したか否かを判定し、それらの時刻の間に児童がゲート１０ａ〜１０ｅを通過した場合に児童にポイントを付与する処理をおこなう。
【００６９】
また、ポイント管理部２５ｃは、あらかじめ定められた重要ゲート１０ｄ（歩道橋上ゲート）を児童が通過しなかった場合に、ポイントを減じる処理をおこなう。
【００７０】
さらに、ポイント管理部２５ｃは、上述した児童のポイント算出処理が終了した際に、最終ゲート１０ｅに対してポイントの情報を送信し、ＩＣタグ３０にその情報を書き込むように要求する。
【００７１】
情報出力部２５ｄは、端末装置４０ａ〜４０ｃから児童の各ゲート１０ａ〜１０ｅの通過状況の問い合わせを受け付けた場合に、通過状況の情報を端末装置４０ａ〜４０ｃに出力する処理をおこなう。
【００７２】
図７は、情報管理装置２０が出力する児童情報表示画面８０の一例を示す図である。この児童情報表示画面８０は、児童の保護者あるいは学校関係者がパスワードの入力をおこない、あらかじめ登録されているパスワードと一致した場合に表示されるものである。
【００７３】
図７に示すように、この児童情報表示画面８０には、児童のＩＤを入力するＩＤ番号入力欄８１、児童の学年−クラスを入力する学年−クラス入力欄８２、児童の出席番号を入力する出席番号入力欄８３、パスワード入力欄８４、終了ボタン８５、入力確定ボタン８６およびゲート通過状況８７が表示される。
【００７４】
ここで、ゲート１０ａ〜１０ｅの通過状況を調べる児童は、ＩＤ番号入力欄８１に児童のＩＤを入力するか、あるいは、学年−クラス入力欄８２および出席番号入力欄８４に児童の学年、クラスおよび出席番号を入力し、８３にパスワードを入力した上で入力確定ボタン８６をマウス等でクリックすることにより指定することができる。
【００７５】
そして、ゲート通過状況８７には、最近数日の、指定された児童が各ゲート１０ａ〜１０ｅを通過した時刻が表示される。そして、終了ボタン８５がクリックされると、児童情報表示画面８０は消去される。
【００７６】
つぎに、最終ゲート１０ｅがおこなうＩＣタグ情報読取／書込処理の処理手順について説明し、その後、ゲート１０ａ〜１０ｄがおこなう同処理の処理手順について説明する。図８は、最終ゲート１０ｅがおこなうＩＣタグ情報読取／書込処理の処理手順を示すフローチャートである。
【００７７】
図８に示すように、まず、最終ゲート１０ｅのＩＣタグリーダ／ライタ１１ａは、児童がゲート１０ｅを通過する場合に、ＩＣタグ３０から、児童のＩＤの情報を読み取る（ステップＳ１０１）。
【００７８】
そして、ＩＣタグリーダ／ライタ１１ａは、現在時刻の情報を時計（図２には図示せず）から取得してゲート１０ｅの通過時刻の情報とし（ステップＳ１０２）、ＩＤの情報と通過時刻の情報とを情報管理装置２０に送信する（ステップＳ１０３）。そして、ＩＣタグリーダ／ライタ１１ａは、ＩＣタグ３０に通過時刻の情報を書き込む（ステップＳ１０４）。なお、ステップＳ１０３とステップＳ１０４の順番は逆であってもかまわない。
【００７９】
その後、ＩＣタグリーダ／ライタ１１ａは、情報管理装置２０により算出されたポイントの情報を受信し（ステップＳ１０５）、受信したポイントの情報をＩＣタグ３０に書き込んで（ステップＳ１０６）、このＩＣタグ情報読取／書込処理を終了する。
【００８０】
ここで、最終ゲート１０ｅ以外のゲート１０ａ〜１０ｄのＩＣタグ情報読取／書込処理の処理手順は、図８のステップＳ１０５およびステップＳ１０６の処理がないものとなり、ステップＳ１０４の後、ゲート１０ａ〜１０ｄのＩＣタグ情報読取／書込処理は終了する。
【００８１】
つぎに、情報管理装置２０がおこなう情報管理処理の処理手順について説明する。図９は、情報管理装置２０がおこなう情報管理処理の処理手順を示すフローチャートである。
【００８２】
図９に示すように、まず、情報管理装置２０の情報取得部２５ａは、出発地のゲート１０ａから児童のＩＤの情報と出発時刻の情報とを受信する（ステップＳ２０１）。そして、情報取得部２５ａは、通過時刻データ２４ｃに出発時刻の情報を記憶する（ステップＳ２０２）。
【００８３】
その後、ポイント管理部２５ｃは、ＩＤの情報を受信した児童の標準所要時間のデータを標準所要時間データ２４ｂから読み込み（ステップＳ２０３）、出発時刻の情報を基にして、各ゲート１０ｂ〜１０ｅの標準通過時刻を算出する（ステップＳ２０４）。
【００８４】
ここで、児童の標準所要時間のデータを読み込む際には、その日の季節や天候のあらかじめ設定されたデータに対応する標準所要時間のデータを、標準所要時間データ２４ｂから検索して読み込む。
【００８５】
そして、ポイント管理部２５ｃは、標準所要時間データ２４ｂに記憶された許容誤差の情報を用いて、各ゲート１０ｂ〜１０ｅの許容短縮通過時刻および許容遅延通過時刻を算出する（ステップＳ２０５）。
【００８６】
さらに、ポイント管理部２５ｃは、許容短縮通過時刻および許容遅延通過時刻の時間差を許容遅延通過時刻に加えることにより、各ゲート１０ｂ〜１０ｅの限界通過時刻を算出し（ステップＳ２０６）、許容短縮通過時刻、許容遅延通過時刻および限界通過時刻の情報を通過時刻データ２４ｃに記憶する（ステップＳ２０７）。
【００８７】
その後、情報取得部２５ａは、次ゲート１０ｂから児童のＩＤおよびゲート１０ｂの通過時刻の情報を受信したか否かを調べ（ステップＳ２０８）、情報を受信していない場合には（ステップＳ２０８，Ｎｏ）、そのゲート１０ｂに対する限界通過時刻を経過しているか否かを調べる（ステップＳ２０９）。
【００８８】
限界通過時刻を経過している場合には（ステップＳ２０９，Ｙｅｓ）、異常通知部２５は、異常が生じたことを通知する異常通知処理を実行し（ステップＳ２１０）、この情報管理処理を終了する。この異常通知処理については、図１１において詳しく説明する。
【００８９】
限界通過時刻を経過していない場合には（ステップＳ２０９，Ｎｏ）、情報取得部２５ａは、ステップＳ２０８に移行して、ゲート１０ｂから児童のＩＤおよびゲート１０ｂの通過時刻の情報を受信するのを待ち受ける。
【００９０】
ステップＳ２０８において、次ゲート１０ｂから児童のＩＤおよびゲート１０ｂの通過時刻の情報を受信した場合には（ステップＳ２０８，Ｙｅｓ）、情報取得部２５ａは、受信した通過時刻の情報を通過時刻データ２４ｃに記憶し（ステップＳ２１１）、情報を受信したゲート１０ｂが、最終ゲート１０ｅであるか否かを調べる（ステップＳ２１２）。
【００９１】
この場合は、情報を受信したゲート１０ｂが最終ゲート１０ｅではないので（ステップＳ２１２，Ｎｏ）、ステップＳ２０８に移行して、情報取得部２５ａは、さらに次のゲート１０ｃから情報を受信するのを待ち受ける。
【００９２】
以降同様の処理を繰り返し、ステップＳ２１２において、情報取得部２５ａが、最終ゲート１０ｅから情報を受信したことを検知した場合には（ステップＳ２１２，Ｙｅｓ）、ポイント管理部２５ｃは、児童のポイントを算出するポイント算出処理を実行し（ステップＳ２１３）、この情報管理処理を終了する。このポイント算出処理については、図１０において詳しく説明する。
【００９３】
つぎに、図９に示したポイント算出処理の処理手順について説明する。図１０は、図９に示したポイント算出処理の処理手順を示すフローチャートである。
【００９４】
図１０に示すように、まず、情報管理装置２０のポイント管理部２５ｃは、児童の累積ポイントの情報を児童データ２４ａから取得する（ステップＳ３０１）。そして、ポイント管理部２５ｃは、出発地のゲート１０ａの次のゲートである第１ゲート１０ｂを児童が通過した際の通過時刻、許容短縮通過時刻および許容遅延通過時刻の情報を通過時刻データ２４ｃから取得する（ステップＳ３０２）。
【００９５】
続いて、ポイント管理部２５ｃは、児童の通過時刻が許容短縮通過時刻および許容遅延通過時刻の範囲内であるか否かを調べ（ステップＳ３０３）、範囲内である場合には（ステップＳ３０３，Ｙｅｓ）、児童の累積ポイントに１を加算して児童データ２４ａに記憶し（ステップＳ３０４）、次のゲート１０ｃの通過時刻、許容短縮通過時刻および許容遅延通過時刻の情報を通過時刻データ２４ｃから取得する（ステップＳ３０５）。
【００９６】
ステップＳ３０３において、児童の通過時刻が許容短縮通過時刻および許容遅延通過時刻の範囲内でない場合には（ステップＳ３０３，Ｎｏ）、ポイント管理部２５ｃは、ステップＳ３０５にそのまま移行する。
【００９７】
ステップＳ３０５の処理の後、ポイント管理部２５ｃは、児童がゲート１０ｃを通過した通過時刻が許容短縮通過時刻および許容遅延通過時刻の範囲内であるか否かを調べ（ステップＳ３０６）、範囲内である場合には（ステップＳ３０６，Ｙｅｓ）、児童の累積ポイントに１を加算して児童データ２４ａに記憶する（ステップＳ３０７）。
【００９８】
その後、ポイント管理部２５ｃは、ゲート１０ｃが最終ゲート１０ｅであるか否かを調べ（ステップＳ３０８）、この場合はゲート１０ｃが最終ゲート１０ｅではないので（ステップＳ３０８，Ｎｏ）、ステップＳ３０５に移行して、さらに次のゲート１０ｄの通過時刻、許容短縮通過時刻および許容遅延通過時刻の情報を通過時刻データ２４ｃから取得する。
【００９９】
ステップＳ３０６において、児童がゲート１０ｃを通過した通過時刻が許容短縮通過時刻および許容遅延通過時刻の範囲内でない場合には（ステップＳ３０６，Ｎｏ）、そのままステップＳ３０８に移行する。
【０１００】
以降同様の処理を繰り返し、ステップＳ３０８において、ポイント管理部２５ｃが、最終ゲート１０ｅの情報を取得したことを検知した場合には（ステップＳ３０８，Ｙｅｓ）、ポイント管理部２５ｃは、最終ゲート１０ｅの通過時刻が学校の始業時刻前であるか否かを調べる（ステップＳ３０９）。
【０１０１】
最終ゲート１０ｅの通過時刻が学校の始業時刻前である場合には（ステップＳ３０９，Ｙｅｓ）、ポイント管理部２５ｃは、累積ポイントに２を加算して児童データ２４ａに記憶し（ステップＳ３１０）、あらかじめ定められた重要ゲートである歩道橋上ゲート１０ｄに対する通過時刻のデータが、通過時刻データ２４ｃに記憶されているか否かを調べる（ステップＳ３１１）。
【０１０２】
ステップＳ３０９において、最終ゲート１０ｅの通過時刻が学校の始業時刻前でない場合には（ステップＳ３０９，Ｎｏ）、そのままステップＳ３１１に移行する。
【０１０３】
ステップＳ３１１において、重要ゲート１０ｄに対する通過時刻のデータが通過時刻データ２４ｃに記憶されていない場合には（ステップＳ３１１，Ｎｏ）、ポイント管理部２５ｃは、児童が安全な通学路から逸脱して危険な場所を通過したと判定し、累積ポイントから１０を減算して児童データ２４ａに記憶する（ステップＳ３１２）。
【０１０４】
その後、児童の累積ポイントの情報を最終ゲート１０ｅに送信して、児童のＩＣタグ３０にその情報を記憶するよう最終ゲート１０ｅに要求し（ステップＳ３１３）、このポイント算出処理を終了する。
【０１０５】
ステップＳ３１１において、重要ゲート１０ｄに対する通過時刻のデータが通過時刻データ２４ｃに記憶されている場合には（ステップＳ３１１，Ｎｏ）、ステップＳ３１３に移行して、累積ポイントの情報を最終ゲート１０ｅに送信する処理をおこなう。
【０１０６】
なお、ここでは、各ゲート１０ｂ〜１０ｅを児童が所定の時間内に通過するごとにポイントを付与しているが、児童がすべてのゲート１０ｂ〜１０ｅをそれぞれ所定の時間内に通過した場合に一括してポイントを付与するようにしてもよい。
【０１０７】
また、ここでは、児童がゲート１０ｂ〜１０ｅを通過した通過時刻が、許容短縮通過時刻および許容遅延通過時刻の範囲内である場合にポイントを付与することとしたが、通過時刻が許容短縮通過時刻および許容遅延通過時刻の範囲外である場合に、ポイント管理部２５ｃが、累積ポイントを減らすこととしてもよい。
【０１０８】
また、ここでは、歩道橋上ゲート１０ｄを重要ゲートに固定しているが、重要ゲートをその都度変更できるようにしてもよい。具体的には、図６に示した通過時刻データ２４ｃに含まれているゲートの項目に、重要ゲートであるか否かを示すフラグの情報をさらに記憶するようにする。このフラグの情報は適宜更新される。
【０１０９】
そして、図１０に示したポイント算出処理においては、ポイント管理部２５ｃが、各ゲート１０ｂ〜１０ｄにフラグが立てられているか否かを調べ、フラグが立てられているゲート１０ｂ〜１０ｄについて、ステップＳ３１１およびステップＳ３１２で示した処理を実行するようにしてもよい。
【０１１０】
つぎに、図９に示した異常通知処理の処理手順について説明する。図１１は、図９に示した異常通知処理の処理手順を示すフローチャートである。
【０１１１】
図１１に示すように、まず、情報管理装置２０の異常通知部２５ｂは、児童データ２４ａから異常を通知する通知先（自宅電話番号、通知メールアドレス、ＦＡＸ番号）の情報を取得する（ステップＳ４０１）。
【０１１２】
また、異常通知部２５ｂは、児童データ２４ａから通知方法の優先度の情報を取得する（ステップＳ４０２）。そして、異常通知部２５ｂは、優先度の高い通知方法により通知処理を実行し（ステップＳ４０３）、この異常通知処理を終了する。
【０１１３】
ところで、上記実施例で説明した情報管理システムおよび情報管理方法は、あらかじめ用意されたプログラムをパーソナル・コンピュータやワークステーションなどのコンピュータシステムで実行することによって実現することができる。
【０１１４】
そこで、以下では、上記実施例で説明した情報管理システム（情報管理方法）と同様の機能を有する情報管理プログラムを実行するコンピュータシステムについて説明する。
【０１１５】
図１２は、本実施例に係るコンピュータシステム１００の構成を示すシステム構成図であり、図１３は、図１２に示したコンピュータシステム１００に係る本体部１０１の構成を示すブロック図である。
【０１１６】
図１２に示すように、本実施例に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【０１１７】
また、このコンピュータシステム１００における本体部１０１は、図１３に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたはワイドエリアネットワーク（ＬＡＮ／ＷＡＮ）１０６に接続するＬＡＮインターフェース１２８とを備える。
【０１１８】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【０１１９】
そして、このコンピュータシステム１００は、所定の記録媒体に記録された情報管理プログラムを読み出して実行することで、情報管理システム（情報管理方法）を実現する。
【０１２０】
ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な情報管理プログラムを記録する、あらゆる記録媒体を含むものである。
【０１２１】
すなわち、情報管理プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から情報管理プログラムを読み出して実行することで情報管理システムおよび情報管理方法を実現する。
【０１２２】
なお、情報管理プログラムは、コンピュータシステム１００によって実行されることに限定されるものではなく、他のコンピュータシステム１１１またはサーバ１１２が情報管理プログラムを実行する場合や、これらが協働して情報管理プログラムを実行するような場合にも、本発明を同様に適用することができる。
【０１２３】
なお、本実施例では、コンピュータシステム１００からモデム１０５を介し公衆回線１０７からインターネットなどに接続されているが、本発明はこれに限定されるものではない。ＬＡＮ／ＷＡＮ１０６を介した先にあるサーバ１１２や、図示されてはいないがルータなどからインターネットに接続されていても良い。
【０１２４】
上述してきたように、本実施例では、情報管理装置２０のポイント管理部２５ｃが、児童が所定の地点を通過した時刻に係る情報に基づいて、児童が所定の地点を所定の時間内に通過したか否かを判定し、その判定の結果に応じてポイントの情報を、児童に対応付けて記憶部２４に記憶することとしたので、児童に所定の経路を通行するよう動機付けを与えることができる。
【０１２５】
また、本実施例では、ポイント管理部２５ｃが、児童が所定の地点を所定の時間内に通過しなかったと判定された場合に、移動者に対するインセンティブの付与に不利となるようポイントの情報を記憶することとしたので、所定の経路から外れないよう児童に動機付けを与えることができる。
【０１２６】
また、本実施例では、異常通知部２５ｂが、児童が所定の地点を所定の時間内に通過しなかったと判定された場合に、判定の結果に係る情報を送信することとしたので、保護者や学校関係者に効率的に異常を通知することができる。
【０１２７】
また、本実施例では、児童が通過した地点に係る情報を、児童を誘導する通学路に設置されたゲート１０ａ〜１０ｅが、児童が有するＩＣタグ３０から児童に係る識別情報を読み取ることにより取得することとしたので、効率的に各児童の位置に係る情報を取得することができる。
【０１２８】
また、本実施例では、ＩＣタグ３０にポイントの情報を記憶することとしたので、ＩＣタグ３０からポイントの情報を読み取って、利用することができるとともに、ポイントの情報をバックアップしておくことができる。
【０１２９】
また、本実施例では、記憶部２４が、児童が所定の地点を通過した時刻に係る情報を児童に対応付けてさらに記憶し、情報出力部２５ｄが、記憶された時刻に係る情報を出力することとしたので、各地点を児童が通過した時刻に係る情報を保護者や学校関係者が容易に取得することができる。
【０１３０】
さて、これまで本発明の実施例について説明したが、本発明は上述した実施例以外にも、上記特許請求の範囲に記載した技術的思想の範囲内において種々の異なる実施例にて実施されてもよいものである。
【０１３１】
例えば、本実施例では、通学路にゲート１０ａ〜１０ｅを設置して児童が所定の地点を時間内に通過したか否かを判定することとしたが、本発明はこれに限定されるものではなく、ＧＰＳ（Ｇｌｏｂａｌ  Ｐｏｓｉｔｉｏｎｉｎｇ  Ｓｙｓｔｅｍ）機能を有する携帯電話などの端末装置を児童に持たせ、端末装置から定期的に送信される位置と時刻の情報に基づいて、児童が所定の地点を時間内に通過したか否かを判定することとしてもよい。
【０１３２】
また、本実施例では、児童が所定の地点を時間内に通過した場合に、児童にポイントを付与することとしたが、本発明はこれに限定されるものではなく、児童が所定の地点を時間内に通過するごとにフラグを立て、立てられたフラグを基にして児童にインセンティブを付与するなどしてもよい。
【０１３３】
また、本実施例では、通学路の各地点にゲート１０ａ〜１０ｅを設置している例を示したが、本発明はこれに限定されるものではなく、最小限２つのゲートが設置されていれば本発明を適用することができる。
【０１３４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１３５】
この他、上記文書中や図面中で示した処理手順、制御手順、具体的名称、各種のデータやパラメータを含む情報については、特記する場合を除いて任意に変更することができる。
【０１３６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３７】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３８】
（付記１）移動者に対するインセンティブの付与に係る情報を管理する情報管理方法であって、
前記移動者が所定の地点を通過した時刻に係る情報に基づいて、該移動者が所定の地点を所定の時間内に通過したか否かを判定する判定工程と、
前記判定工程によりなされた判定の結果に応じてインセンティブの付与に係る情報を前記移動者に対応付けて記憶する記憶工程と、
を含んだことを特徴とする情報管理方法。
【０１３９】
（付記２）前記記憶工程は、前記判定工程により前記移動者が所定の地点を所定の時間内に通過しなかったと判定された場合に、該移動者に対するインセンティブの付与に不利となるよう前記インセンティブの付与に係る情報を記憶することを特徴とする付記１に記載の情報管理方法。
【０１４０】
（付記３）前記判定工程により前記移動者が所定の地点を所定の時間内に通過しなかったと判定された場合に、該判定の結果に係る情報を送信する送信工程をさらに含んだことを特徴とする付記１または２に記載の情報管理方法。
【０１４１】
（付記４）前記判定工程は、前記移動者が通過した地点に係る情報を、移動者を誘導する経路に設置された第１の装置が移動者が有する第２の装置から該移動者に係る識別情報を読み取ることにより取得することを特徴とする付記１、２または３に記載の情報管理方法。
【０１４２】
（付記５）前記記憶工程は、前記第２の装置に前記インセンティブの付与に係る情報を記憶することを特徴とする付記１〜４のいずれか１つに記載の情報管理方法。
【０１４３】
（付記６）前記記憶工程は、前記移動者が所定の地点を通過した時刻に係る情報を前記移動者に対応付けてさらに記憶し、前記記憶工程により記憶された時刻に係る情報を出力する出力工程をさらに含んだことを特徴とする付記１〜５のいずれか１つに記載の情報管理方法。
【０１４４】
（付記７）移動者に対するインセンティブの付与に係る情報を管理する情報管理装置であって、
前記移動者が所定の地点を通過した時刻に係る情報に基づいて、該移動者が所定の地点を所定の時間内に通過したか否かを判定する判定手段と、
前記判定手段によりなされた判定の結果に応じてインセンティブの付与に係る情報を前記移動者に対応付けて記憶する記憶手段と、
を備えたことを特徴とする情報管理装置。
【産業上の利用可能性】
【０１４５】
以上のように、本発明にかかる情報管理方法および情報管理装置は、移動者に所定の経路を通行するよう動機付けを与えることが必要な情報管理システムに有用である。
【図面の簡単な説明】
【０１４６】
【図１】本実施例に係る情報管理処理の概念を説明する説明図である。
【図２】本実施例に係る情報管理システムの機能的構成を示す機能ブロック図である。
【図３】ＩＣタグ３０に記憶される個人データ３０ａの一例を示す図である。
【図４】情報管理装置２０が記憶する児童データ２４ａの一例を示す図である。
【図５】情報管理装置２０が記憶する標準所要時間データ２４ｂの一例を示す図である。
【図６】情報管理装置２０が記憶する通過時刻データ２４ｃの一例を示す図である。
【図７】情報管理装置２０が出力する児童情報表示画面８０の一例を示す図である。
【図８】最終ゲート１０ｅがおこなうＩＣタグ情報読取／書込処理の処理手順を示すフローチャートである。
【図９】情報管理装置２０がおこなう情報管理処理の処理手順を示すフローチャートである。
【図１０】図９に示したポイント算出処理の処理手順を示すフローチャートである。
【図１１】図９に示した異常通知処理の処理手順を示すフローチャートである。
【図１２】本実施例に係るコンピュータシステム１００の構成を示すシステム構成図である。
【図１３】図１２に示したコンピュータシステム１００に係る本体部１０１の構成を示すブロック図である。
【符号の説明】
【０１４７】
１０ａ〜１０ｅ    ゲート
１１ａ    ＩＣタグリーダ／ライタ
２０    情報管理装置
２１    インターフェース部
２２    入力部
２３    表示部
２４    記憶部
２４ａ    児童データ２４ａ
２４ｂ    標準所要時間データ
２４ｃ    通過時刻データ
２５    制御部
２５ａ    情報取得部
２５ｂ    異常通知部
２５ｃ    ポイント管理部
２５ｄ    情報出力部
３０    ＩＣタグ
３０ａ    個人データ
４０ａ〜４０ｃ    端末装置
５０ａ〜５０ｃ    電話機／ＦＡＸ
６０    専用ネットワーク
７０    公衆回線ネットワーク
８０    児童情報表示画面
【図１】
2005275529.tif 000003
【図２】
2005275529.tif 000004
【図３】
2005275529.tif 000005
【図４】
2005275529.tif 000006
【図５】
2005275529.tif 000007
【図６】
2005275529.tif 000008
【図７】
2005275529.tif 000009
【図８】
2005275529.tif 000010
【図９】
2005275529.tif 000011
【図１０】
2005275529.tif 000012
【図１１】
2005275529.tif 000013
【図１２】
2005275529.tif 000014
【図１３】
2005275529.tif 000015